(57)【要約】【課題】配線対数を減らすことによる省配線化・省施工化を実現するために、音声信号、制御信号、映像信号を同一線に多重して伝送可能にした集合住宅用テレビインターホン装置を提供する。【解決手段】共用部装置１０、分岐器３０、インターホン２０の各間は一対の共用伝送線路Ａで接続され、共用伝送線路Ａには映像信号、音声信号、及び制御信号が周波数多重されており、分岐器３０は、分岐前の幹線である共用伝送線路Ａと分岐後の共用伝送線路Ａとの間に接続した、映像信号多重分離部３０３、映像信号分岐トランス３０１、映像信号多重分離部３０３の直列回路と、音声信号多重分離部３０２と、制御信号多重分離部３０４との並列回路から構成され、分岐器３０内で映像信号、音声信号、及び制御信号を一旦分離した後、周波数多重する。【選択図】        図１
2004186836.tif 000002
【特許請求の範囲】
【請求項１】
集合住宅の共用玄関先の来訪者を撮像して映像信号を出力するカメラ、共用玄関先の来訪者が集合住宅の住戸内の住人と会話するため音声信号を入出力するスピーカー及びマイク、通話先住戸のアドレスを含む制御信号を出力すると共に外部からの制御信号を受け取る第１の制御信号送受信手段を具備する共用部装置と、
前記共用部装置のカメラからの映像信号を入力されて住戸内の住人が共用玄関先の来訪者を見るためのモニタ、住戸内の住人が来訪者と会話するため音声信号を入出力するスピーカー及びマイク、前記共用部装置との間で制御信号の授受を行う第２の制御信号送受信手段を具備し、自アドレスが前記共用部装置からの制御信号に含まれるアドレスに該当すれば受信した制御信号に基づいて動作するインターホンと、
前記共用部装置と前記インターホンとの間を接続し、少なくとも映像信号、音声信号、及び制御信号が伝送される一対の共用伝送線路と、
前記共用部装置から配線される共用伝送線路の幹線から前記インターホンへ共用伝送線路を分岐する分岐器と、
前記インターホンとの間で音声信号を授受して、住戸の個別玄関先の来訪者が住戸内の住人と会話するための住戸ドアホン子器と、
前記住戸ドアホン子器と前記インターホンとの間を接続し、音声信号が伝送される住戸別伝送線路とから構成され、
前記共用部装置は、少なくとも映像信号、音声信号、及び制御信号を前記共用伝送線路に周波数多重させて送出すると共に、前記共用伝送線路から受信した周波数多重信号を音声信号及び制御信号に分離する第１の信号多重分離手段を備え、
前記インターホン装置は、音声信号及び制御信号を前記共用伝送線路に周波数多重させて送出すると共に、前記共用伝送線路から受信した周波数多重信号を少なくとも映像信号、音声信号、及び制御信号に分離する第２の信号多重分離手段を備えて、
前記分岐器は、少なくとも映像信号、音声信号、及び制御信号を伝送周波数帯域で分離して通過させる周波数帯域別信号通過手段を備えることを特徴とする集合住宅用テレビインターホン装置。
【請求項２】
前記周波数帯域別信号通過手段は、前記共用伝送線路の分岐先に映像信号を通過させる映像信号分岐トランスを備えると共に、前記映像信号分岐トランスと並列に、映像信号の周波数帯域よりも低く且つ音声信号の周波数帯域よりも高い周波数帯域で伝送される制御信号を通過させるための制御帯域通過手段と、制御信号の周波数帯域よりも低い周波数帯域で伝送される音声信号を通過させるための音声帯域通過手段とを備えることを特徴とする請求項１記載の集合住宅用テレビインターホン装置。
【請求項３】
前記周波数帯域別信号通過手段は、前記共用伝送線路の分岐先に映像信号を通過させる映像信号分岐トランスを備えると共に、前記映像信号分岐トランスと並列に、映像信号周波数帯域よりも低い周波数帯域で伝送される制御信号及び音声信号を通過させるための制御・音声帯域通過手段を備えることを特徴とする請求項１記載の集合住宅用テレビインターホン装置。
【請求項４】
前記インターホンは、周波数多重信号から制御信号のみを分離する手段と、周波数多重信号から制御信号を分離した後の信号の経路に前記共用部装置との非通話時に閉路を開いて映像信号と音声信号とのうち少なくともいずれか一方を遮断する第１の開閉路とを備えることを特徴とする請求項１乃至３いずれか記載の集合住宅用テレビインターホン装置。
【請求項５】
前記共用部装置は直流電源を備えて、前記第１の信号多重分離手段は映像信号、音声信号、制御信号、及び直流電源を前記共用伝送線路に周波数多重させ、前記周波数帯域別信号通過手段は、前記共用伝送線路の分岐先に映像信号を通過させる映像信号分岐トランスを備えると共に、前記映像信号分岐トランスと並列に、映像信号の周波数帯域よりも低く且つ音声信号及び直流電源の周波数帯域よりも高い周波数帯域で伝送される制御信号を通過させるための制御帯域通過手段と、制御信号の周波数帯域よりも低い周波数帯域で伝送される音声信号及び直流電源を通過させるための音声・直流帯域通過手段とを備え、前記インターホンは、自アドレスが前記共用部装置からの制御信号に含まれるアドレスに該当すれば前記音声・直流帯域通過手段を通過する直流電源の電流を消費する負荷を備えて、前記分岐器は、前記音声・直流帯域通過手段を流れる直流電源の電流を検出する直流検出手段と、前記直流検出手段が直流電源の電流を検出した場合、前記映像信号分岐トランスを流れる映像信号を導通させ、直流電源の電流を検出しない場合、映像信号を遮断する第２の開閉路とを備えることを特徴とする請求項１記載の集合住宅用テレビインターホン装置。
【請求項６】
前記共用部装置と前記分岐器との間に介在・接続されて前記共用伝送線路の幹線を分配する分配器を備え、前記分配器は、分配先の前記共用伝送線路の幹線に映像信号を通過させる映像信号分配トランスを備えると共に、前記映像信号分配トランスと並列に、映像信号の周波数帯域よりも低く且つ音声信号の周波数帯域よりも高い周波数帯域で伝送される制御信号を通過させるための制御帯域通過手段と、制御信号の周波数帯域よりも低い周波数帯域で伝送される音声信号を通過させるための音声帯域通過手段とを備えることを特徴とする請求項１乃至４いずれか記載の集合住宅用テレビインターホン装置。
【請求項７】
前記共用部装置と前記分岐器との間に介在・接続されて前記共用伝送線路の幹線を分配する分配器を備え、前記分配器は、分配先の前記共用伝送線路の幹線に映像信号を通過させる映像信号分配トランスを備えると共に、前記映像信号分配トランスと並列に、映像信号の周波数帯域よりも低い周波数帯域で伝送される制御信号及び音声信号を通過させるための制御・音声帯域通過手段を備えることを特徴とする請求項１乃至４いずれか記載の集合住宅用テレビインターホン装置。
【請求項８】
前記共用部装置と前記分岐器との間に介在・接続されて前記共用伝送線路の幹線を分配する分配器を備え、前記共用部装置は直流電源を備えて、前記第１の信号多重分離手段は映像信号、音声信号、制御信号、及び直流電源を前記共用伝送線路に周波数多重させ、前記分配器は、分配先の前記共用伝送線路の幹線に映像信号を通過させる映像信号分配トランスを備えると共に、前記映像信号分配トランスと並列に、映像信号の周波数帯域よりも低く且つ音声信号及び直流電源の周波数帯域よりも高い周波数帯域で伝送される制御信号を通過させるための制御帯域通過手段と、制御信号の周波数帯域よりも低い周波数帯域で伝送される音声信号及び直流電源を通過させるための音声・直流帯域通過手段と、音声・直流帯域通過手段を流れる直流電源の電流を検出する直流検出手段と、前記直流検出手段が前記直流電源の電流を検出した場合、映像信号を導通させ、前記直流検出手段が前記直流電源の電流を検出しない場合、映像信号を遮断する第３の開閉路とを備え、前記インターホンは、自アドレスが前記共用部装置からの制御信号に含まれるアドレスに該当すれば前記音声・直流帯域通過手段を通過する直流電源の電流を消費する負荷を備えることを特徴とする請求項１記載の集合住宅用テレビインターホン装置。
【発明の詳細な説明】
【０００１】
【発明の属する技術分野】
本発明は、マンション等の集合住宅用テレビインターホン装置に関するものである。
【０００２】
【従来の技術】
図８に、従来のテレビインターホン装置の一例として、一般的な集合住宅用途のテレビインターホン装置の構成を示す。一般的な集合住宅用途のテレビインターホン装置は、各住戸内で共用玄関先の来訪者と会話することができると共に、来訪者をカメラ付のロビーインターホンで撮像することにより、各住戸内のモニタで来訪者を確認することができる。図８では、このロビーインターホンとして共用部装置１０を備え、各住戸にはインターホン２０が設置され、共用部装置１０からの幹線は分配器４０によって複数の幹線（系統）に分配され、分配後の各幹線は分岐器３０によって各住戸のインターホン２０に分岐される。また、各住戸の個別玄関先には住戸ドアホン子器６０が設けられ、個別玄関先の来訪者が住戸内の住人と会話することができる。
【０００３】
共用部装置１０からは幹線として共用伝送線路Ｄ０が分配器４０を介して配線されており、分配器４０によって２系統に分配される。分配後の共用伝送線路Ｄ０は分岐器３０によって各住戸に分岐された後、インターホン２０に接続される。この共用伝送線路Ｄ０は、一般的に多芯ツイストペアケーブルで構成され、伝送線路Ｄ１、伝送線路Ｄ２、伝送線路Ｄ３は、それぞれ共用伝送線路Ｄ０の同一シース内に収められた一対のケーブルである。
【０００４】
また、インターホン２０から住戸ドアホン子器６０までは一対のケーブルからなる住戸別伝送線路Ｂが配線されている。住戸別伝送線路Ｂは一般に、共用伝送線路Ｄ０とは別シースのケーブルにて配線されるが、共用伝送線路Ｄ０内の一対の伝送線路を用いてもよい。
【０００５】
次に各部の構成について説明する。まず共用部装置１０は、共用部装置１０の内部回路を制御すると共にインターホン２０と通信を行うための制御を行うＣＰＵ１０１と、ＣＰＵ１０１によって伝送線路Ｄ１に制御信号を送出すると共に受信する制御信号送受信回路１０２と、住戸内の住人と会話するため音声信号を出力するスピーカ１０３と、スピーカ１０３への音声信号を増幅するスピーカアンプ１０４と、住戸内の住人と会話するため音声信号を入力するマイク１０５と、マイク１０５からの音声信号を増幅するマイクアンプ１０６と、スピーカアンプ１０４及びマイクアンプ１０６に接続されて２線４線変換回路を含み伝送線路Ｄ２に音声信号を送出すると共に受信する音声回路１０７と、共用玄関先の来訪者を撮像して映像信号を出力するカメラ部１０８と、映像信号をＦＭ変調するＦＭ変調部１０９と、映像信号を増幅する増幅器１１０と、映像信号の不平衡−平衡変換を行って伝送線路Ｄ３に映像信号を送出するトランス１１１と、本装置にＡＣ１００Ｖを変換した電源を供給する電源部１１２とを備える。
【０００６】
インターホン２０は、インターホン２０の内部回路を制御すると共に共用部装置１０と通信を行うための制御を行うＣＰＵ２０１と、ＣＰＵ２０１によって伝送線路Ｄ１に制御信号を送出すると共に受信する制御信号送受信回路２０２と、共用玄関先及び個別玄関先の来訪者と会話するため音声信号を出力するスピーカ２０３と、スピーカ２０３への音声信号を増幅するスピーカアンプ２０４と、共用玄関先及び個別玄関先の来訪者と会話するため音声信号を入力するマイク２０５と、マイク２０５からの音声信号を増幅するマイクアンプ２０６と、スピーカアンプ２０４及びマイクアンプ２０６に接続されて２線４線変換回路を含み伝送線路Ｄ２に音声信号を送出すると共に受信する音声回路２０７と、伝送線路Ｄ３から映像信号を受信して平衡−不平衡変換を行うトランス２１１と、映像信号を増幅する増幅器２１０と、映像信号をＦＭ復調するＦＭ復調部２０９と、映像信号を表示する表示部２０８と、本装置にＡＣ１００Ｖを変換した電源を供給する電源部２１２と、住戸ドアホン子器６０との通話のための音声双方向増幅回路や音声回路２０７を接続する開閉路回路などで構成されて住戸別伝送線路Ｂに音声信号を送出すると共に受信する子器インターフェース回路２１３と、住戸ドアホン子器６０を動作させるための電源を供給する子器電源部２１４と、住戸別伝送線路Ｂに子器電源部２１４の電源を重畳するためのトランジスタ回路からなる子器電源重畳部２１５とを備える。
【０００７】
分配器４０は、制御信号を伝送する伝送線路Ｄ１、音声信号を伝送する伝送線路Ｄ２をいずれの電気回路も介さず２系統に分配し、映像信号を伝送する伝送線路Ｄ３を映像信号分配トランス４０１によって２系統に分配する。
【０００８】
分岐器３０は、制御信号を伝送する伝送線路Ｄ１、音声信号を伝送する伝送線路Ｄ２をいずれの電気回路も介さず２系統に分岐し、映像信号を伝送する伝送線路Ｄ３を映像信号分岐トランス３０１によって２系統に分岐する。映像信号分岐トランス３０１は、幹線側のインピーダンスが伝送線路Ｄ３の特性インピーダンスより十分高く、分岐側のインピーダンスが伝送線路Ｄ３の特性インピーダンスに整合している。
【０００９】
次にこの従来例の動作について説明する。まず、通話先の住戸番号アドレスを含む制御信号が共用部装置１０の制御信号送受信回路１０２から伝送線路Ｄ１に送出されると、この制御信号はインターホン２０の制御信号送受信回路２０２を介してＣＰＵ２０１に入力され、インターホン２０は制御信号に応じた動作を行う。制御信号は、分配器４０及び分岐器３０において、いずれの電気回路も介さずそれぞれ分岐、分配されるので、共用部装置１０から送出された制御信号は伝送線路Ｄ１に接続される全てのインターホンに伝送され、制御信号に含まれる住戸番号アドレスに該当したインターホンのみが制御信号にしたがって音声回路２０７及び表示部２０８を動作させ、共用部装置１０と通話状態になる。
【００１０】
音声の伝送は一般に、分配器４０及び分岐器３０において、いずれの電気回路も介さず、それぞれ分岐、分配されて、以下のように行われる。共用部装置１０では、伝送線路Ｄ２を伝達された音声信号は、音声回路１０７及びスピーカアンプ１０４を介して、スピーカ１０３から出力され、マイク１０５で入力された音声信号は、マイクアンプ１０６及び音声回路１０７を介して伝送線路Ｄ２に伝達される。また、インターホン２０でも同様に、伝送線路Ｄ２を伝達された音声信号は、音声回路２０７及びスピーカアンプ２０４を介して、スピーカ２０３から出力され、マイク２０５で入力された音声信号は、マイクアンプ２０６及び音声回路２０７を介して伝送線路Ｄ２に伝達される。このように来訪者と住人とは互いに会話することが可能となる。
【００１１】
次に映像信号の伝送について、以下説明する。共用部装置１０内のカメラ部１０８により撮像された来訪者の映像は、映像信号をＦＭ変調部１０９でＦＭ変調した後、増幅器１１０及び不平衡−平衡変換をするためのトランス１１１を介して、伝送線路Ｄ３に出力される。伝送線路Ｄ３は分配器４０により複数の幹線に分配（枝分かれ）させることが可能である。映像信号の分配は図８に示すように映像信号分配トランス４０１を用いる方法や、図示しないが、１入力／複数出力の増幅回路を用いて増幅分配する方法がある。伝送線路Ｄ３の幹線から各住戸へ至る伝送線路には分岐器３０を介在・接続して分岐する。映像信号の分岐には、映像信号分岐トランス３０１を用いる。
【００１２】
分配器４０及び分岐器３０を介してインターホン２０に入力された映像信号は、平衡−不平衡変換のためのトランス２１１及び増幅器２１０を介して、ＦＭ復調部２０９に入力されてＦＭ復調され、住戸内の住人は、表示部２０８にて、来訪者を確認できる。
【００１３】
上記従来例では、映像信号、音声信号、制御信号を別々の伝送線路で伝達しているが、映像信号と音声信号と直流電圧のみを周波数多重して伝達する伝送線路と、制御信号を伝達する伝送線路との２つの伝送線路を備えた集合住宅用テレビインターホン装置や、映像信号と直流電圧のみを周波数多重して伝達する伝送線路と、制御信号を伝達する伝送線路との２つの伝送線路を備えた集合住宅用テレビインターホン装置もあった。（例えば、特許文献１，２参照。）。
【００１４】
また従来技術として、集合住宅ではなく、戸建て住宅のインターホン装置（すなわち分岐器を用いない通信）においては、子器給電用の直流電源、音声信号、制御信号、映像信号を一対の伝送線路で周波数多重して伝送するものがある。図９は、各信号の伝送周波数帯域の概略を示しており、直流電源はＤＣ、音声信号は１ＫＨｚ帯、制御信号はＦＳＫ（Ｆｒｅｑｕｅｎｃｙ  Ｓｈｉｆｔ  Ｋｅｙｉｎｇ）によって１００ＫＨｚ帯、映像信号はＦＭ変調によって１ＭＨｚ帯に分布している。
【００１５】
【特許文献１】
特許第３３１１５３６号公報（６頁右欄第２４行〜第２９行、７頁左欄第２３行〜第３８行、図１２）
【特許文献２】
特開２００２−９４９７４号公報（２頁右欄第１５行〜２１行、３頁右欄第１行〜右欄第１６行、図１（ａ），（ｂ）、図３）
【００１６】
【発明が解決しようとする課題】
従来の集合住宅用途のテレビインターホン装置においては、音声信号、制御信号、映像信号が別線で伝送されることから、ケーブルの対数が多くなり、そのためケーブルが曲がりにくいなど扱いづらく、またケーブルコストも高くなっていた。
【００１７】
さらに、各機器における端子数が多くなるため、結線の仕方がわかりづらく、施工ミスが発生し易いという問題があった。
【００１８】
本発明は、上記事由に鑑みてなされたものであり、その目的は、配線対数を減らすことによる省配線化・省施工化を実現するために、音声信号、制御信号、映像信号を同一線に多重して伝送可能にした集合住宅用テレビインターホン装置を提供することにある。
【００１９】
【課題を解決するための手段】
請求項１の発明は、集合住宅の共用玄関先の来訪者を撮像して映像信号を出力するカメラ、共用玄関先の来訪者が集合住宅の住戸内の住人と会話するため音声信号を入出力するスピーカー及びマイク、通話先住戸のアドレスを含む制御信号を出力すると共に外部からの制御信号を受け取る第１の制御信号送受信手段を具備する共用部装置と、前記共用部装置のカメラからの映像信号を入力されて住戸内の住人が共用玄関先の来訪者を見るためのモニタ、住戸内の住人が来訪者と会話するため音声信号を入出力するスピーカー及びマイク、前記共用部装置との間で制御信号の授受を行う第２の制御信号送受信手段を具備し、自アドレスが前記共用部装置からの制御信号に含まれるアドレスに該当すれば受信した制御信号に基づいて動作するインターホンと、前記共用部装置と前記インターホンとの間を接続し、少なくとも映像信号、音声信号、及び制御信号が伝送される一対の共用伝送線路と、前記共用部装置から配線される共用伝送線路の幹線から前記インターホンへ共用伝送線路を分岐する分岐器と、前記インターホンとの間で音声信号を授受して、住戸の個別玄関先の来訪者が住戸内の住人と会話するための住戸ドアホン子器と、前記住戸ドアホン子器と前記インターホンとの間を接続し、音声信号が伝送される住戸別伝送線路とから構成され、前記共用部装置は、少なくとも映像信号、音声信号、及び制御信号を前記共用伝送線路に周波数多重させて送出すると共に、前記共用伝送線路から受信した周波数多重信号を音声信号及び制御信号に分離する第１の信号多重分離手段を備え、前記インターホン装置は、音声信号及び制御信号を前記共用伝送線路に周波数多重させて送出すると共に、前記共用伝送線路から受信した周波数多重信号を少なくとも映像信号、音声信号、及び制御信号に分離する第２の信号多重分離手段を備えて、前記分岐器は、少なくとも映像信号、音声信号、及び制御信号を伝送周波数帯域で分離して通過させる周波数帯域別信号通過手段を備えることを特徴とする。
【００２０】
請求項２の発明は、請求項１において、前記周波数帯域別信号通過手段は、前記共用伝送線路の分岐先に映像信号を通過させる映像信号分岐トランスを備えると共に、前記映像信号分岐トランスと並列に、映像信号の周波数帯域よりも低く且つ音声信号の周波数帯域よりも高い周波数帯域で伝送される制御信号を通過させるための制御帯域通過手段と、制御信号の周波数帯域よりも低い周波数帯域で伝送される音声信号を通過させるための音声帯域通過手段とを備えることを特徴とする。
【００２１】
請求項３の発明は、請求項１において、前記周波数帯域別信号通過手段は、前記共用伝送線路の分岐先に映像信号を通過させる映像信号分岐トランスを備えると共に、前記映像信号分岐トランスと並列に、映像信号周波数帯域よりも低い周波数帯域で伝送される制御信号及び音声信号を通過させるための制御・音声帯域通過手段を備えることを特徴とする。
【００２２】
請求項４の発明は、請求項１乃至３いずれかにおいて、前記インターホンは、周波数多重信号から制御信号のみを分離する手段と、周波数多重信号から制御信号を分離した後の信号の経路に前記共用部装置との非通話時に閉路を開いて映像信号と音声信号とのうち少なくともいずれか一方を遮断する第１の開閉路とを備えることを特徴とする。
【００２３】
請求項５の発明は、請求項１において、前記共用部装置は直流電源を備えて、前記第１の信号多重分離手段は映像信号、音声信号、制御信号、及び直流電源を前記共用伝送線路に周波数多重させ、前記周波数帯域別信号通過手段は、前記共用伝送線路の分岐先に映像信号を通過させる映像信号分岐トランスを備えると共に、前記映像信号分岐トランスと並列に、映像信号の周波数帯域よりも低く且つ音声信号及び直流電源の周波数帯域よりも高い周波数帯域で伝送される制御信号を通過させるための制御帯域通過手段と、制御信号の周波数帯域よりも低い周波数帯域で伝送される音声信号及び直流電源を通過させるための音声・直流帯域通過手段とを備え、前記インターホンは、自アドレスが前記共用部装置からの制御信号に含まれるアドレスに該当すれば前記音声・直流帯域通過手段を通過する直流電源の電流を消費する負荷を備えて、前記分岐器は、前記音声・直流帯域通過手段を流れる直流電源の電流を検出する直流検出手段と、前記直流検出手段が直流電源の電流を検出した場合、前記映像信号分岐トランスを流れる映像信号を導通させ、直流電源の電流を検出しない場合、映像信号を遮断する第２の開閉路とを備えることを特徴とする。
【００２４】
請求項６の発明は、請求項１乃至４いずれかにおいて、前記共用部装置と前記分岐器との間に介在・接続されて前記共用伝送線路の幹線を分配する分配器を備え、前記分配器は、分配先の前記共用伝送線路の幹線に映像信号を通過させる映像信号分配トランスを備えると共に、前記映像信号分配トランスと並列に、映像信号の周波数帯域よりも低く且つ音声信号の周波数帯域よりも高い周波数帯域で伝送される制御信号を通過させるための制御帯域通過手段と、制御信号の周波数帯域よりも低い周波数帯域で伝送される音声信号を通過させるための音声帯域通過手段とを備えることを特徴とする。
【００２５】
請求項７の発明は、請求項１乃至４いずれかにおいて、前記共用部装置と前記分岐器との間に介在・接続されて前記共用伝送線路の幹線を分配する分配器を備え、前記分配器は、分配先の前記共用伝送線路の幹線に映像信号を通過させる映像信号分配トランスを備えると共に、前記映像信号分配トランスと並列に、映像信号の周波数帯域よりも低い周波数帯域で伝送される制御信号及び音声信号を通過させるための制御・音声帯域通過手段を備えることを特徴とする。
【００２６】
請求項８の発明は、請求項１において、前記共用部装置と前記分岐器との間に介在・接続されて前記共用伝送線路の幹線を分配する分配器を備え、前記共用部装置は直流電源を備えて、前記第１の信号多重分離手段は映像信号、音声信号、制御信号、及び直流電源を前記共用伝送線路に周波数多重させ、前記分配器は、分配先の前記共用伝送線路の幹線に映像信号を通過させる映像信号分配トランスを備えると共に、前記映像信号分配トランスと並列に、映像信号の周波数帯域よりも低く且つ音声信号及び直流電源の周波数帯域よりも高い周波数帯域で伝送される制御信号を通過させるための制御帯域通過手段と、制御信号の周波数帯域よりも低い周波数帯域で伝送される音声信号及び直流電源を通過させるための音声・直流帯域通過手段と、音声・直流帯域通過手段を流れる直流電源の電流を検出する直流検出手段と、前記直流検出手段が前記直流電源の電流を検出した場合、映像信号を導通させ、前記直流検出手段が前記直流電源の電流を検出しない場合、映像信号を遮断する第３の開閉路とを備え、前記インターホンは、自アドレスが前記共用部装置からの制御信号に含まれるアドレスに該当すれば前記音声・直流帯域通過手段を通過する直流電源の電流を消費する負荷を備えることを特徴とする。
【００２７】
【発明の実施の形態】
以下、本発明の実施の形態を図面に基づいて説明する。
【００２８】
（実施形態１）
図１に示す本実施形態において、集合住宅用テレビインターホン装置の基本構成は図８に示した従来の集合住宅用テレビインターホン装置の構成と略同様であり、また、図８と同様の構成には同一の符号を付して説明は省略する。
【００２９】
本実施形態において、共用部装置１０、分岐器３０、インターホン２０の各間は一対の共用伝送線路Ａで接続されている。そして、共用部装置１０内で制御信号を送受信する制御信号送受信回路１０２、音声信号を送受信する音声回路１０７、映像信号を送信するトランス１１１は各々、制御信号多重分離部１１５、音声信号多重分離部１１３、及び映像信号多重部１１４を介して共用伝送線路Ａに接続される。
【００３０】
共用部装置１０内の音声信号多重分離部１１３、映像信号多重部１１４及び制御信号多重分離部１１５は、各伝送信号を各伝送周波数帯域毎に多重・分離するためのもので、各信号の伝送周波数帯域は、高い順に、映像信号、制御信号、音声信号となる。音声信号多重分離部１１３は、主にインダクタ等で構成され、音声信号よりも高い映像信号と制御信号との各伝送帯域のインピーダンスを高くするためのものである。また、映像信号多重部１１４は、主にコンデンサ等で構成され、映像信号よりも低い制御信号と音声信号との各伝送帯域のインピーダンスを高くするためのものである。また、制御信号多重分離部１１５は、主にインダクタやコンデンサ等を組み合わせたバンドパスフィルタで構成され、制御信号よりも低い音声信号と制御信号よりも高い映像信号との各伝送帯域のインピーダンスを高くするためのものである。
【００３１】
また、インターホン２０内で制御信号を送受信する制御信号送受信回路２０２、音声信号を送受信する音声回路２０７、映像信号を受信するトランス２１１は各々、制御信号多重分離部２１８、音声信号多重分離部２１６、及び映像信号分離部２１７を介して共用伝送線路Ａに接続される。
【００３２】
インターホン２０内の音声信号多重分離部２１６、映像信号分離部２１７、及び制御信号多重分離部２１８は、各伝送信号を各伝送周波数帯域毎に多重・分離するためのものである。音声信号多重分離部２１６は、主にインダクタ等で構成され、音声信号よりも高い映像信号と制御信号との各伝送帯域のインピーダンスを高くするためのものである。また、映像信号分離部２１７は、主にコンデンサ等で構成され、映像信号よりも低い制御信号と音声信号との各伝送帯域のインピーダンスを高くするためのものである。また、制御信号多重分離部２１８は、主にインダクタやコンデンサ等を組み合わせたバンドパスフィルタで構成され、制御信号よりも低い音声信号と制御信号よりも高い映像信号との各伝送帯域のインピーダンスを高くするためのものである。
【００３３】
そして分岐器３０は、分岐前の幹線である共用伝送線路Ａと分岐後の共用伝送線路Ａとの間に接続した、映像信号多重分離部３０３、映像信号分岐トランス３０１、映像信号多重分離部３０３の直列回路と、音声信号多重分離部３０２と、制御信号多重分離部３０４との並列回路から構成され、分岐器３０内で映像信号、音声信号、及び制御信号を一旦分離した後、周波数多重するものである。
【００３４】
分岐器３０内の音声信号多重分離部３０２は、主にインダクタ等で構成され、音声信号よりも高い映像信号と制御信号との各伝送帯域のインピーダンスを高くし、映像信号や制御信号よりも低い周波数帯域に周波数多重された音声信号のみを通過させるためのものである。また、映像信号多重分離部３０３は、主にコンデンサ等で構成され、映像信号よりも低い制御信号と音声信号との各伝送帯域のインピーダンスを高くし、制御信号や音声信号よりも高い周波数帯域に多重された映像信号のみが映像信号分岐トランス３０１を通過するようにするためのものである。また、制御信号多重分離部３０４は、主にインダクタやコンデンサ等を組み合わせたバンドパスフィルタで構成され、制御信号よりも低い音声信号と制御信号よりも高い映像信号との各伝送帯域のインピーダンスを高くし、音声信号より高く映像信号よりも低い周波数帯域に周波数多重された制御信号のみを通過させるためのものである。
【００３５】
以下、本実施形態の一連の動作を説明する。共用部装置１０の図示しない呼出釦を来訪者が押下すると、共用部装置１０は、ＣＰＵ１０１より該当住戸の住戸番号アドレスを含んだ制御信号を制御信号送受信回路１０２、制御信号多重分離部１１５を介して共用伝送線路Ａに送出すると共に、ＦＭ変調部１０９よりカメラ部１０８で撮像されてＦＭ変調された映像信号を増幅器１１０、トランス１１１、映像信号多重部１１４を介して送出し、且つスピーカーアンプ１０４、マイクアンプ１０６、音声回路１０７等を動作させる。
【００３６】
そして、音声信号と映像信号と制御信号とは、音声信号多重分離部１１３、映像信号多重部１１４、制御信号多重分離部１１５により共用伝送線路Ａに周波数多重されて伝送され、分岐器３０においては、音声信号多重分離部３０２、映像信号多重分離部３０３、制御信号多重分離部３０４により音声信号と映像信号と制御信号とは一旦分離され、映像信号は映像信号分岐トランス３０１及び映像信号多重分離部３０３のコンデンサを通過し、音声信号は音声信号多重分離部３０２のインダクタを通過し、制御信号は制御信号多重分離部３０４のバンドパスフィルタを通過した後、再び共用伝送線路Ａの幹線から分岐した共用伝送線路Ａの分岐線に多重されてインターホン２０に至る。
【００３７】
制御信号は共用伝送線路Ａに接続されている全インターホンに分岐器３０の制御信号多重分離部３０４を介して伝送され、インターホン２０内の制御信号多重分離部２１８及び制御信号送受信回路２０２を介してＣＰＵ２０１に受信される。そして、インターホン２０は自器が呼び出された該当の住戸である場合、制御信号にしたがってスピーカーアンプ２０４、マイクアンプ２０６、音声回路２０７を動作させ、音声信号多重分離部２１６を介して音声信号を送受信して、共用部装置１０と通話状態になると共に、表示部２０８を動作させ、映像信号分離部２１７を介して受信した映像信号をＦＭ復調部２０９で復調して表示部２０８に映す。これにより、住人は来訪者と会話することができると共に、来訪者をモニタすることができる。
【００３８】
以上のように、本実施形態によれば、共用部装置１０とインターホン２０との間の共用伝送線路Ａに分岐器３０を介在接続した場合においても、映像信号と音声信号と制御信号とを１対の共用伝送線路Ａで伝送することが可能となる。
【００３９】
なお、本実施形態の図１においては分岐器及びインターホンを各々１つずつ図示しているが、複数の分岐器及びインターホンを同様に備えている。
【００４０】
（実施形態２）
図２に示す本実施形態では図１に示した構成要素のうち、分岐器３０内の音声信号多重分離部３０２と制御信号多重分離部３０４とを省き、音声／制御信号多重分離部３１０が設けられている。
【００４１】
音声／制御信号多重分離部３１０は、主にインダクタ等のローパスフィルタで構成され、制御信号よりも高い映像信号伝送帯域のインピーダンスを高くし、映像信号よりも低い周波数帯域に周波数多重された制御信号と音声信号とを通過させるためのものである。
【００４２】
このシステムにおける基本動作は、実施形態１と大きくは違わないが、分岐器３０内での各信号の流れ方が異なる。音声信号と映像信号と制御信号は、音声信号多重分離部１１３と映像信号多重部１１４と制御信号多重分離部１１５により共用伝送線路Ａに周波数多重されて伝送され、分岐器３０においては、映像信号多重部３０３と音声／制御信号多重分離部３１０により映像信号と音声／制御信号とは一旦分離され、映像信号は映像信号分岐トランス３０１及び映像信号多重分離部３０３のコンデンサを通過し、音声／制御信号は音声／制御信号多重分離部３１０のインダクタを通過した後、再び共用伝送線路Ａの幹線から分岐された共用伝送線路Ａの分岐線に多重されてインターホン２０に至る。
【００４３】
以上のように、本実施形態によれば、分岐器３０内で全ての信号を分離しなくとも、映像信号と音声信号と制御信号とを１対の共用伝送線路Ａで伝送することが可能となる。
【００４４】
なお、映像信号多重部３０３と音声／制御信号多重分離部３１０を設計し直し、映像信号多重部３０３に映像／制御信号を、音声／制御信号多重分離部３１０に音声信号のみを通過させるように変更してもよい。
【００４５】
（実施形態３）
図３に示す本実施形態では図１に示したインターホン２０に開閉器２１９を付加して、インターホン２０内で共用伝送線路Ａを制御信号多重分離部２１８に接続し、共用伝送線路Ａと制御信号多重分離部２１８との接続点を音声信号多重分離部２１６に開閉器２１９を介して接続し、開閉器２１９と音声信号多重分離部２１６との接続点を映像信号分離部２１７に接続したものである。開閉器２１９は開放することによって音声信号多重分離部２１６及び映像信号分離部２１７への音声信号と映像信号との伝達を遮断する。
【００４６】
また、共用伝送線路Ａの幹線には分岐器３１及び分岐器３１の分岐側に接続したインターホン２１を備えており、インターホン２１は開閉器２２９を同様に備える。
【００４７】
以下、本実施形態の一連の動作を説明する。共用部装置１０において図示しない呼出釦を来訪者が押下した場合、共用部装置１０から該当する住戸番号アドレスを含む制御信号が共用伝送線路Ａに接続されている全てのインターホン２０，２１に伝送される。しかし、インターホン２０，２１内の開閉路２１９，２２９のうち、住戸番号アドレスに該当するインターホン２１においてのみ、開閉路２２９が閉じられて、音声信号及び映像信号が伝達される。
【００４８】
住戸番号アドレスに該当しないインターホン２０の開閉路２１９は開放されているので、分岐器３０内の映像信号分岐トランス３０１及び音声信号多重分離部３０２の分岐側インピーダンスは高くなり、伝送線路Ａの幹線に分岐器３０を挿入することによって映像信号及び音声信号に与える挿入損失を低減することができる。
【００４９】
以上のように、本実施形態によれば、非通話状態のインターホンが接続された分岐側のインピーダンスを高めることができ、非通話状態のインターホンの接続による共用伝送線路Ａの幹線上での映像信号及び音声信号の減衰量を抑えることができる。
【００５０】
なお、開閉器２１９の挿入場所は、映像信号分離部２１７の入力側Ｘ１でもよく、Ｘ１に挿入した場合は映像信号のみが開閉器２１９によって遮断される。
【００５１】
（実施形態４）
図４に示す本実施形態では図３と同様の構成には同一の符号を付して説明は省略する。共用部装置１０は、電源重畳部１１６、コンデンサ１１７，１１８を備えており、電源重畳部１１６は、電源部１１２からの電源をインターホン２０，２１に供給する直流電源として共用伝送線路Ａの音声信号、映像信号、制御信号に重畳するためのものであり、直流電源が不要な音声回路１０７、制御信号多重分離部１１５に対してはコンデンサ１１８，１１７を各々設けて直流電源を阻止している。なお、映像信号多重部１１４もトランス１１１への直流電源入力を阻止するものである。
【００５２】
また、インターホン２０は、図３に示した構成に開閉器２１９と映像信号分離部２１７の接続点と、回路グランドとの間に負荷回路２２２を設け、インターホン２１も同様に負荷回路２３２を設けており、負荷回路２２２，２３２は、共用部装置１０から供給される直流電流を消費するためのものである。直流電源が不要な音声回路２０７、制御信号多重分離部２１８に対してはコンデンサ２２１，２２０を設けて直流電源を阻止している。なお、映像信号分離部２１７もトランス２１１への直流電源入力を阻止するものである。
【００５３】
分岐器３０は、映像信号多重部３０３，３０３と映像信号分岐トランス３０１との間に開閉器３０５，３０５を設け、音声信号多重分離部３０２を省いてインダクタ等で構成された電流検出部３０６を設けており、電流検出部３０６は映像信号と制御信号との各伝送帯域のインピーダンスを高めて音声信号及び直流電源のみを通過させると共に、共用部装置１０からインターホン２０に流れる直流電流を検出して、開閉路３０５を閉じるものである。この開閉器３０５を開閉させる電源には電流検出部３０６を流れる直流電流を用いる。また、分岐器３１も同様に構成されて、開閉器３１５及び電流検出部３１６を設けている。
【００５４】
以下、本実施形態の一連の動作を説明する。共用部装置１０において図示しない呼出釦を来訪者が押下した場合、共用部装置１０から住戸番号アドレスを含む制御信号が共用伝送線路Ａに接続されている全てのインターホン２０，２１に伝送され、住戸番号アドレスに該当したインターホン２０においてのみ、制御信号を受信したＣＰＵ２１２によって開閉路２１９が閉じられる。開閉路２１９が閉じられると負荷回路２２２が共用伝送線路Ａに接続され、共用部装置１０の電源重畳部１１６で重畳した直流電流が消費される。
【００５５】
負荷回路２２２に直流電流が流れると、分岐器３０内の電流検出部３０６にも直流電流が流れ、電流検出部３０６はこの電流を用いて開閉路３０５を閉じる。これにより映像信号分岐トランス３０１が共用伝送線路Ａに接続され映像信号がインターホン２０に伝送される。
【００５６】
インターホン２１は呼び出されていないので開閉路２２９が開いた状態となり、分岐器３１の電流検出部３１６は電流を検出しない。したがって、分岐器３１の開閉路３１５は閉じられていないため、共用伝送線路Ａの幹線に非通話状態の映像分岐トランス３１１が接続されることによる共用伝送線路Ａのインピーダンス低下を防ぐことができる。
【００５７】
（実施形態５）
図５に示す本実施形態では図１に示した構成に分配器４０を付加したもので、分配器４０は共用部装置１０と分岐器３０との間に介在・接続され、分配前の幹線である共用伝送線路Ａと分配後の幹線である共用伝送線路Ａ，Ａ’との間に各々接続した、映像信号多重分離部４０３、映像信号分配トランス４０１、映像信号多重分離部４０３の直列回路と、音声信号多重分離部４０２と、制御信号多重分離部４０４との並列回路から構成され、映像信号分配トランス４０１の一次側巻線、及び映像信号分配トランス４０１の一次側に接続される映像信号多重分離部４０３は、共用伝送線路Ａ，Ａ’で共用される。
【００５８】
分配器４０内の映像信号分配トランス４０１は、映像信号を複数の幹線Ａ，Ａ’に枝分かれ分配するためのものである。音声信号多重分離部４０２は、主にインダクタ等で構成され、音声信号よりも高い映像信号と制御信号との各伝送帯域のインピーダンスを高くし、音声信号のみを通過させるためのものである。また、映像信号多重部４０３は、主にコンデンサ等で構成され、映像信号よりも低い音声信号と制御信号との各伝送帯域のインピーダンスを高くし、映像信号のみが映像信号分配トランス４０１を通過するようにするためのものである。また、制御信号多重分離部４０４は、主にインダクタやコンデンサ等を組み合わせたバンドパスフィルタで構成され、制御信号よりも低い音声信号と制御信号よりも高い映像信号との各伝送帯域のインピーダンスを高くし、制御信号のみを通過させるためのものである。
【００５９】
そして、分配器４０においては、音声信号多重分離部４０２と映像信号多重部４０３と制御信号多重分離部４０４とにより、音声信号、映像信号、制御信号は一旦分離され、映像信号は映像信号分配トランス４０１及び映像信号多重部４０３のコンデンサを通過し、音声信号は音声信号多重分離部４０２のインダクタを通過し、制御信号は制御信号多重分離部４０４のバンドパスフィルタを通過した後、再び共用伝送線路Ａの幹線から分配された共用伝送線路ＡおよびＡ’に多重されて分岐器３０に至る。
【００６０】
以上のように本実施形態によれば、共用部装置１０とインターホン２０との間の共用伝送線路Ａに分配器４０が介在接続した場合においても、映像信号と音声信号と制御信号とを周波数多重し、１対の共用伝送線路Ａで伝送することが可能となる。
【００６１】
（実施形態６）
図６に示す本実施形態では図５に示した構成要素のうち、分配器４０内の音声信号多重分離部４０２と制御信号多重分離部４０４とを省き、音声／制御信号多重分離部４１０が設けられている。
【００６２】
音声／制御信号多重分離部４１０は、インダクタを備えたローパスフィルタで構成され、制御信号よりも高い映像信号伝送帯域のインピーダンスを高くして、映像信号よりも低い周波数帯域に周波数多重された制御信号と音声信号とを通過させるためのものである。
【００６３】
このシステムにおける基本動作は、実施形態５と大きくは違わないが、分配器４０内での各信号の流れ方が異なる。音声信号と映像信号と制御信号は、音声信号多重分離部１１３と映像信号多重部１１４と制御信号多重分離部１１５により共用伝送線路Ａに周波数多重されて伝送され、分配器４０においては、映像信号多重部４０３と音声／制御信号多重分離部４１０により映像信号と音声／制御信号は一旦分離され、映像信号は映像信号分配トランス４０１及び映像信号多重部４０３のコンデンサを通過し、音声／制御信号は音声／制御信号多重分離部４１０のローパスフィルタを通過した後、再び共用伝送線路Ａの幹線から分配された共用伝送線路Ａ及びＡ’に多重されて、共用伝送線路Ａの多重信号は分岐器３０に至る。
【００６４】
以上のように、本実施形態によれば、分配器４０内で全ての信号を分離しなくとも、映像信号と音声信号と制御信号とを１対の共用伝送線路Ａで伝送することが可能となる。
【００６５】
なお、映像信号多重部４０３と音声／制御信号多重分離部４１０を設計し直し、映像信号多重部４０３に映像／制御信号を、音声／制御信号多重分離部４１０に音声信号のみを通過させるように変更してもよい。
【００６６】
（実施形態７）
図７に示す本実施形態では図５と同様の構成には同一の符号を付して説明は省略する。共用部装置１０は、電源重畳部１１６、コンデンサ１１７，１１８を備えており、電源重畳部１１６は、電源部１１２からの電源をインターホン２０に供給する直流電源として共用伝送線路Ａの音声信号、映像信号、制御信号に重畳するためのものであり、直流電源が不要な音声回路１０７、制御信号多重分離部１１５に対してはコンデンサ１１８，１１７を設けて直流電源を阻止している。なお、映像信号多重部１１４もトランス１１１への直流電源入力を阻止するものである。
【００６７】
また、インターホン２０は、図６に示した構成に開閉器２１９、コンデンサ２２０，２２１を付加して、インターホン２０内で共用伝送線路Ａはコンデンサ２２０を介して制御信号多重分離部２１８に接続し、共用伝送線路Ａとコンデンサ２２０との接続点は開閉器２１９、音声信号多重分離部２１６、コンデンサ２２１の直列回路を介して音声回路２０７に接続し、開閉器２１９と音声信号多重分離部２１６との接続点は映像信号分離部２１７に接続している。開閉器２１９は開放することによって音声信号多重分離部２１６及び映像信号分離部２１７への音声信号と映像信号とを遮断する。直流電源が不要な音声回路２０７、制御信号多重分離部２１８に対してはコンデンサ２２１，２２０を設けて直流電源を阻止している。なお、映像信号分離部２１７もトランス２１１への直流電源入力を阻止するものである。
【００６８】
インターホン２０は、さらに開閉器２１９と映像信号分離部２１７の接続点と回路グランドとの間に負荷回路２２２を設けており、負荷回路２２２は、共用部装置１０から供給される直流電流を消費するためのものである。
【００６９】
分配器４０は、映像信号多重部４０３，４０３，４０３と映像信号分岐トランス４０１との間に開閉器４０８，４０９，４１０を設け、音声信号多重分離部４０２，４０２を省いてインダクタ等で構成された電流検出部４０６，４０７を設けて、電流検出部４０６は共用伝送線路Ａに伝達される映像信号及び制御信号帯域のインピーダンスを高めて音声信号及び直流電源のみを通過させると共に、共用部装置１０から共用伝送線路Ａを介してインターホン装置に流れる直流電流を検出して、開閉路４０８，４０９を閉じる。電流検出部４０７は共用伝送線路Ａ’に伝達される映像信号及び制御信号帯域のインピーダンスを高めて音声信号及び直流電源のみを通過させると共に、共用部装置１０から共用伝送線路Ａ’を介してインターホン装置に流れる直流電流を検出して、開閉路４０９，４１０を閉じる。この開閉器４０８，４０９，４１０を開閉させる電源には電流検出部４０６を流れる直流電流を用いる。
【００７０】
以下、本実施形態の一連の動作を説明する。共用部装置１０において図示しない呼出釦を来訪者が押下した場合、共用部装置１０から住戸番号アドレスを含む制御信号が共用伝送線路Ａ，Ａ’に接続されている全てのインターホンに伝送され、住戸番号アドレスに該当したインターホン２０においてのみ、開閉路２１９が閉じられる。開閉路２１９が閉じられると負荷回路２２２が共用伝送線路Ａに接続され、共用部装置１０の電源重畳部１１６で重畳した直流電流が消費される。
【００７１】
負荷回路２２２に直流電流が流れると、分配器４０内の電流検出部４０６にも直流電流が流れ、電流検出部４０６はこの電流を検出して開閉路４０８，４０９を閉じる。これにより映像信号分配トランス４０１が共用伝送線路Ａに接続され映像信号がインターホン２０に伝送される。
【００７２】
インターホン２０が呼び出されていない場合には、開閉路２１９を閉じないため、分配器４０の電流検出部４０６は電流を検出しない。したがって、分配器４０の開閉路４０８，４０９も閉じないため、共用伝送線路Ａの幹線に非通話状態の映像分配トランス４０１が接続されることによる共用伝送線路Ａのインピーダンス低下を防ぐことができる。
【００７３】
【発明の効果】
請求項１の発明は、集合住宅の共用玄関先の来訪者を撮像して映像信号を出力するカメラ、共用玄関先の来訪者が集合住宅の住戸内の住人と会話するため音声信号を入出力するスピーカー及びマイク、通話先住戸のアドレスを含む制御信号を出力すると共に外部からの制御信号を受け取る第１の制御信号送受信手段を具備する共用部装置と、前記共用部装置のカメラからの映像信号を入力されて住戸内の住人が共用玄関先の来訪者を見るためのモニタ、住戸内の住人が来訪者と会話するため音声信号を入出力するスピーカー及びマイク、前記共用部装置との間で制御信号の授受を行う第２の制御信号送受信手段を具備し、自アドレスが前記共用部装置からの制御信号に含まれるアドレスに該当すれば受信した制御信号に基づいて動作するインターホンと、前記共用部装置と前記インターホンとの間を接続し、少なくとも映像信号、音声信号、及び制御信号が伝送される一対の共用伝送線路と、前記共用部装置から配線される共用伝送線路の幹線から前記インターホンへ共用伝送線路を分岐する分岐器と、前記インターホンとの間で音声信号を授受して、住戸の個別玄関先の来訪者が住戸内の住人と会話するための住戸ドアホン子器と、前記住戸ドアホン子器と前記インターホンとの間を接続し、音声信号が伝送される住戸別伝送線路とから構成され、前記共用部装置は、少なくとも映像信号、音声信号、及び制御信号を前記共用伝送線路に周波数多重させて送出すると共に、前記共用伝送線路から受信した周波数多重信号を音声信号及び制御信号に分離する第１の信号多重分離手段を備え、前記インターホン装置は、音声信号及び制御信号を前記共用伝送線路に周波数多重させて送出すると共に、前記共用伝送線路から受信した周波数多重信号を少なくとも映像信号、音声信号、及び制御信号に分離する第２の信号多重分離手段を備えて、前記分岐器は、少なくとも映像信号、音声信号、及び制御信号を伝送周波数帯域で分離して通過させる周波数帯域別信号通過手段を備えるので、集合住宅用途のテレビインターホン装置のように共用部装置とインターホン間の共用伝送線路に分岐器が介在・接続した場合においても、映像信号と制御信号と音声信号とを周波数多重し、１対の共用伝送線路で伝送することが可能となって、対数の少ないケーブルで配線することができ、省配線化・省施工化を実現することができるという効果がある。
【００７４】
請求項２の発明は、請求項１において、前記周波数帯域別信号通過手段は、前記共用伝送線路の分岐先に映像信号を通過させる映像信号分岐トランスを備えると共に、前記映像信号分岐トランスと並列に、映像信号の周波数帯域よりも低く且つ音声信号の周波数帯域よりも高い周波数帯域で伝送される制御信号を通過させるための制御帯域通過手段と、制御信号の周波数帯域よりも低い周波数帯域で伝送される音声信号を通過させるための音声帯域通過手段とを備えるので、集合住宅用途のテレビインターホン装置のように共用部装置とインターホン間の共用伝送線路に分岐器が介在・接続した場合においても、映像信号と制御信号と音声信号とを周波数多重し、１対の共用伝送線路で伝送することが可能となるという効果がある。
【００７５】
請求項３の発明は、請求項１において、前記周波数帯域別信号通過手段は、前記共用伝送線路の分岐先に映像信号を通過させる映像信号分岐トランスを備えると共に、前記映像信号分岐トランスと並列に、映像信号周波数帯域よりも低い周波数帯域で伝送される制御信号及び音声信号を通過させるための制御・音声帯域通過手段を備えるので、集合住宅用途のテレビインターホン装置のように共用部装置とインターホン間の共用伝送線路に分岐器が介在・接続した場合においても、映像信号と制御信号と音声信号とを周波数多重し、１対の共用伝送線路で伝送することが可能となり、さらに分岐器内部の部品点数の削減を図ることができるという効果ある。
【００７６】
請求項４の発明は、請求項１乃至３いずれかにおいて、前記インターホンは、周波数多重信号から制御信号のみを分離する手段と、周波数多重信号から制御信号を分離した後の信号の経路に前記共用部装置との非通話時に閉路を開いて映像信号と音声信号とのうち少なくともいずれか一方を遮断する第１の開閉路とを備えるので、非通話状態のインターホンが接続されている共用伝送線路の分岐側のインピーダンスを高めることができ、共用伝送線路の幹線に接続できるインターホンの台数を増やすことができるという効果がある
請求項５の発明は、請求項１において、前記共用部装置は直流電源を備えて、前記第１の信号多重分離手段は映像信号、音声信号、制御信号、及び直流電源を前記共用伝送線路に周波数多重させ、前記周波数帯域別信号通過手段は、前記共用伝送線路の分岐先に映像信号を通過させる映像信号分岐トランスを備えると共に、前記映像信号分岐トランスと並列に、映像信号の周波数帯域よりも低く且つ音声信号及び直流電源の周波数帯域よりも高い周波数帯域で伝送される制御信号を通過させるための制御帯域通過手段と、制御信号の周波数帯域よりも低い周波数帯域で伝送される音声信号及び直流電源を通過させるための音声・直流帯域通過手段とを備え、前記インターホンは、自アドレスが前記共用部装置からの制御信号に含まれるアドレスに該当すれば前記音声・直流帯域通過手段を通過する直流電源の電流を消費する負荷を備えて、前記分岐器は、前記音声・直流帯域通過手段を流れる直流電源の電流を検出する直流検出手段と、前記直流検出手段が直流電源の電流を検出した場合、前記映像信号分岐トランスを流れる映像信号を導通させ、直流電源の電流を検出しない場合、映像信号を遮断する第２の開閉路とを備えるので、非通話状態の映像信号分岐トランスの接続を遮断することにより、共用伝送線路の幹線に接続できるインターホンの台数をさらに増やすことができるという効果がある。
【００７７】
請求項６の発明は、請求項１乃至４いずれかにおいて、前記共用部装置と前記分岐器との間に介在・接続されて前記共用伝送線路の幹線を分配する分配器を備え、前記分配器は、分配先の前記共用伝送線路の幹線に映像信号を通過させる映像信号分配トランスを備えると共に、前記映像信号分配トランスと並列に、映像信号の周波数帯域よりも低く且つ音声信号の周波数帯域よりも高い周波数帯域で伝送される制御信号を通過させるための制御帯域通過手段と、制御信号の周波数帯域よりも低い周波数帯域で伝送される音声信号を通過させるための音声帯域通過手段とを備えるので、集合住宅用途のテレビインターホン装置のように共用部装置とインターホン間の共用伝送線路に分配器が介在・接続した場合においても、映像信号と制御信号と音声信号とを周波数多重し、１対の共用伝送線路で伝送することが可能となるという効果がある。
【００７８】
請求項７の発明は、請求項１乃至４いずれかにおいて、前記共用部装置と前記分岐器との間に介在・接続されて前記共用伝送線路の幹線を分配する分配器を備え、前記分配器は、分配先の前記共用伝送線路の幹線に映像信号を通過させる映像信号分配トランスを備えると共に、前記映像信号分配トランスと並列に、映像信号の周波数帯域よりも低い周波数帯域で伝送される制御信号及び音声信号を通過させるための制御・音声帯域通過手段を備えるので、集合住宅用途のテレビインターホン装置のように共用部装置とインターホン間の共用伝送線路に分配器が介在・接続した場合においても、映像信号と制御信号と音声信号とを周波数多重し、１対の共用伝送線路で伝送することが可能となり、さらに分岐器内部の部品点数の削減を図ることができるという効果ある。
【００７９】
請求項８の発明は、請求項１において、前記共用部装置と前記分岐器との間に介在・接続されて前記共用伝送線路の幹線を分配する分配器を備え、前記共用部装置は直流電源を備えて、前記第１の信号多重分離手段は映像信号、音声信号、制御信号、及び直流電源を前記共用伝送線路に周波数多重させ、前記分配器は、分配先の前記共用伝送線路の幹線に映像信号を通過させる映像信号分配トランスを備えると共に、前記映像信号分配トランスと並列に、映像信号の周波数帯域よりも低く且つ音声信号及び直流電源の周波数帯域よりも高い周波数帯域で伝送される制御信号を通過させるための制御帯域通過手段と、制御信号の周波数帯域よりも低い周波数帯域で伝送される音声信号及び直流電源を通過させるための音声・直流帯域通過手段と、音声・直流帯域通過手段を流れる直流電源の電流を検出する直流検出手段と、前記直流検出手段が前記直流電源の電流を検出した場合、映像信号を導通させ、前記直流検出手段が前記直流電源の電流を検出しない場合、映像信号を遮断する第３の開閉路とを備え、前記インターホンは、自アドレスが前記共用部装置からの制御信号に含まれるアドレスに該当すれば前記音声・直流帯域通過手段を通過する直流電源の電流を消費する負荷を備えるので、分配器以降の幹線毎に接続されたインターホン全てが通話状態でない場合、映像信号分配トランスの接続を遮断することにより、非通話状態の映像信号分配トランスが接続されることによる共用伝送線路Ａのインピーダンス低下を防ぐことができ、共用伝送線路の幹線に接続できるインターホンの台数をさらに増やすことができるという効果がある。
【図面の簡単な説明】
【図１】本発明の実施形態１の構成を示す図である。
【図２】本発明の実施形態２の構成を示す図である。
【図３】本発明の実施形態３の構成を示す図である。
【図４】本発明の実施形態４の構成を示す図である。
【図５】本発明の実施形態５の構成を示す図である。
【図６】本発明の実施形態６の構成を示す図である。
【図７】本発明の実施形態７の構成を示す図である。
【図８】従来例の構成を示す図である。
【図９】同上の信号の伝送周波数帯域を示す図である。
【符号の説明】
１０  共用部装置
２０  インターホン
３０  分岐器
６０  住戸ドアホン子器
３０１  映像信号分岐トランス
３０２  音声信号多重分離部
３０３  映像信号多重分離部
３０４  制御信号多重分離部
Ａ  共用伝送線路
Ｂ  住戸別伝送線路
【図１】
2004186836.tif 000003
【図２】
2004186836.tif 000004
【図３】
2004186836.tif 000005
【図４】
2004186836.tif 000006
【図５】
2004186836.tif 000007
【図６】
2004186836.tif 000008
【図７】
2004186836.tif 000009
【図８】
2004186836.tif 000010
【図９】
2004186836.tif 000011